(57)【特許請求の範囲】
【請求項１】
読み取る原稿の原稿面を上側にして搬送する搬送手段と、この搬送手段で搬送された原稿の画像を所定の位置で読み取る読取手段と、前記搬送手段で搬送された原稿を、この読取手段で読み取る際、原稿を密着させるコンタクトガラスと、このコンタクトガラスと所定の間隔をおいて配置され、原稿通過時に原稿をこのコンタクトガラスに押圧するバックアップローラと、前記搬送手段により、原稿が所定の位置まで搬送されたことを検知する原稿検知手段と、を備えた画像読取装置において、
前記バックアップローラをコンタクトレンズ方向へ移動させる移動手段をさらに設け、この移動手段によるバックアップローラの移動は、原稿検知手段の検知信号に対応して行い、
原稿が搬送されていない場合に、誤って、バックアップローラがコンタクトガラスに押圧されて回転したとき、この誤動作を検知する検知手段と、この検知手段の検知により、バックアップローラの回転を停止し、コンタクトガラスへの押圧を解除する解除手段を設けたことを特徴とした画像読取装置。
【請求項２】
読み取る原稿を原稿面を上側にして搬送する搬送手段と、この搬送手段で搬送された原稿の画像を所定の位置で読み取る読取手段と、前記搬送手段で搬送された原稿を、この読取手段で読み取る際、原稿を密着させるコンタクトガラスと、このコンタクトガラスと所定の間隔をおいて配置され、原稿通過時に原稿をこのコンタクトガラスに押圧するバックアップローラと、原稿を検知してレジストローラを駆動させる検知信号を発するレジストセンサと、を備えた画像読取装置において、前記バックアップローラをコンタクトレンズ方向へ移動させる移動手段をさらに設け、この移動手段によるバックアップローラの移動は、レジストセンサの検知信号に対応して行い、
原稿が搬送されていない場合に、誤って、バックアップローラがコンタクトガラスに押圧されて回転したとき、この誤動作を検知する検知手段と、この検知手段の検知により、バックアップローラの回転を停止し、コンタクトガラスへの押圧を解除する解除手段を設けたことを特徴とした画像読取装置。
【発明の詳細な説明】
【０００１】
【発明の属する技術分野】
本発明は、原稿面を上側にしてコンタクトガラスに押圧して原稿画像を読み取る画像読取装置に関する。
【０００２】
【従来の技術】
複写機などで用いる画像読取装置では、読み取る原稿を載置するコンタクトガラスが汚れると、それが読み取り画像の劣化という問題に繋がっていた。通常の原稿固定方式の画像読取装置では、粉塵付着が単に黒点として発生するだけであるが、シートスルー方式の読み取り装置の場合、黒スジの発生となってしまい、その影響は遥かに大きい。
【０００３】
【発明が解決しようとする課題】
ところで、シートスルー方式の場合、原稿下側読み取り方式よりも原稿上側読み取り方式の方がコンタクトガラス汚れ（ゴミ付着）に強いことが知られている。
特開平７−７４８８２号公報には、原稿押圧部材は白色シートを介して原稿をコンタクトガラスに押圧するが、白色シートにスプリングを設けテンションを掛けることにより原稿を読み取り位置に密着させる技術が開示されている。この技術では、さらに、この白色シートと読み取り位置との間に０．５ｍｍ以下のペーパーパスを設けいる。
この発明は、白色シートにスプリングによるテンションを掛けることと、０．５ｍｍのペーパーパスを設けることによってコンタクトガラスへの原稿の密着性を高めている。しかし、この方法では上側読み取りの場合、ペーパーパスが存在するため、薄い原稿を読み取る場合の密着性が悪く、ＭＴＦの低下が問題となる。
また、このコンタクトガラスに原稿押圧部材が接触すると、コンタクトガラスが傷つくおそれがあり、誤作動等で接触したときには、迅速にその接触を解除することが望ましい。
【０００４】
そこで、本発明の目的は、誤動作により原稿が搬送されていないときに、バックアップローラがコンタクトガラスに押圧されて回転したときに、このコンタクトガラスを保護することができる画像読取装置を提供することである。
【０００５】
【課題を解決するための手段】
請求項１記載の発明では、読み取る原稿の原稿面を上側にして搬送する搬送手段と、この搬送手段で搬送された原稿の画像を所定の位置で読み取る読取手段と、前記搬送手段で搬送された原稿を、この読取手段で読み取る際、原稿を密着させるコンタクトガラスと、このコンタクトガラスと所定の間隔をおいて配置され、原稿通過時に原稿をこのコンタクトガラスに押圧するバックアップローラと、前記搬送手段により、原稿が所定の位置まで搬送されたことを検知する原稿検知手段と、を備えた画像読取装置において、前記バックアップローラをコンタクトレンズ方向へ移動させる移動手段をさらに設け、この移動手段によるバックアップローラの移動は、原稿検知手段の検知信号に対応して行い、原稿が搬送されていない場合に、誤って、バックアップローラがコンタクトガラスに押圧されて回転したとき、この誤動作を検知する検知手段と、この検知手段の検知により、バックアップローラの回転を停止し、コンタクトガラスへの押圧を解除する解除手段を設けたことにより、前記目的を達成する。
【０００６】
請求項２記載の発明では、読み取る原稿を原稿面を上側にして搬送する搬送手段と、この搬送手段で搬送された原稿の画像を所定の位置で読み取る読取手段と、前記搬送手段で搬送された原稿を、この読取手段で読み取る際、原稿を密着させるコンタクトガラスと、このコンタクトガラスと所定の間隔をおいて配置され、原稿通過時に原稿をこのコンタクトガラスに押圧するバックアップローラと、原稿を検知してレジストローラを駆動させる検知信号を発するレジストセンサと、を備えた画像読取装置において、前記バックアップローラをコンタクトレンズ方向へ移動させる移動手段をさらに設け、この移動手段によるバックアップローラの移動は、レジストセンサの検知信号に対応して行い、原稿が搬送されていない場合に、誤って、バックアップローラがコンタクトガラスに押圧されて回転したとき、この誤動作を検知する検知手段と、この検知手段の検知により、バックアップローラの回転を停止し、コンタクトガラスへの押圧を解除する解除手段を設けたことにより前記目的を達成する。
【０００８】
【発明の実施の形態】
以下、本発明の好適な実施の形態を図１ないし図６を参照して詳細に説明する。
図１は本実施の形態の処理を説明する図である。まず、ユーザーにより挿入された原稿１は、前下ガイド２と前上ガイド３との間を搬送される。そして、レジストセンサ４により検知されると、このレジストセンサ４からの検知信号によってレジストローラ（５ａ、５ｂ）の駆動が開始される。このレジストローラ（５ａ，５ｂ）によって搬送された原稿１を、原稿検知装置６が検知することによってバックアップローラ７の動きが制御される。
搬送されてきた原稿１は、バックアップローラ７によってコンタクトガラス８に密着させられ、読み取りレンズ１０と読み取りセンサ１１によって読み取られ、ディジタル信号に変換される。図中９ａ、９ｂは原稿を読み取るための照明ランプである。
読み取られた原稿１は、後下ガイド１２と後上ガイド１３との間を通り機外へ排出される。
【０００９】
図２は、原稿が挿入されていない状態を示す図であり、図３は、原稿が挿入された状態を示す図である。原稿１が挿入されていないときは、この図２に示すように、バックアップローラ７は、ソレノイド１４に引き付けらており、コンタクトガラス８との間には所定のギャップが形成されるようになっている。
そして、図３に示すように、原稿１が搬送されて、原稿検知装置６が原稿１を検知すると、バックアップローラ７は回転すると共に、原稿１の先端位置に合わせてソレノイド１４がＯＦＦされてバックアップローラ７はスプリング１５の力により動き、原稿１をコンタクトガラス８に密着させる。
この実施の形態では、原稿の厚さに左右されずに、バックパップローラ７により常に原稿１をコンタクトガラス８に押圧することができる。
【００１０】
さらに、原稿１が搬送されて、原稿検知装置６が原稿１を検知しなくなると、原稿１の後端位置に合わせてソレノイド１４がＯＮされ、バックアップローラ７はコンタクトガラス８から引き離されると共に、その回転を停止する。この状態を図４に示してある。このように、原稿１が存在しないときには、バックアップローラ７がコンタクトガラス８から離れた位置にあるので、コンタクトガラス８を傷つける恐れがない。
【００１１】
この第１の実施の形態の処理の手順を図５のフローチャートに示してある。
まず、原稿検知装置６が原稿を検知すると（ステップ１０）、バックアップローラ７の回転がＯＮされる（ステップ１１）。そして、所定のクロックが経過すると（ステップ１２；Ｙ）、バックアップローラ７のソレノイド１４がＯＦＦされ（ステップ１３）、バックアップローラ７がコンタクトガラス８に押圧される。
その後、原稿が通過して、原稿検知装置６がＯＦＦとなると（ステップ１４；Ｙ）、所定のクロック数の経過後（ステップ１５；Ｙ）、バックアップローラ７のソレノイド１４がＯＮとなり（ステップ１６）、バックアップローラ７がコンタクトガラス８から離れ、バックアップローラ７の回転が停止される（ステップ１７）。
【００１２】
次に、第２の実施の形態を説明する。この実施の形態は、バックアップローラ７の動きを第１の実施の形態のように原稿検知装置６での検知に対応して行うのでなく、レジストセンサ４の検知信号によって行う。それ以外は、前記第１の実施の形態と同様である。従って、この実施の形態では、原稿検知装置６は必要ないので、設けられていない。
この第２の実施の形態の処理の手順を図６のフローチャートに示してある。
まず、原稿を検知してレジストセンサ４により検知信号が発せられると（ステップ２０）、バックアップローラ７の回転がＯＮされる（ステップ２１）。そして、所定のクロックが経過すると（ステップ２２；Ｙ）、バックアップローラ７のソレノイド１４がＯＦＦされ（ステップ２３）、バックアップローラ７がコンタクトガラス８に押圧される。
その後、原稿が通過して、レジストセンサ４の検知信号がＯＦＦとなると（ステップ２４；Ｙ）、所定のクロック数の経過後（ステップ２５；Ｙ）、バックアップローラ７のソレノイド１４がＯＮとなり（ステップ２６）、バックアップローラ７がコンタクトガラス８から離れ、バックアップローラ７の回転が停止される（ステップ２７）。
【００１３】
続いて、図７、図８を参照して、第３の実施の形態を説明する。通常、原稿１がバックアップローラ７の位置に到達した時点で、バックアップローラ７がコンクトガラス８に押圧されるのであるが、何らかの理由で原稿１がない場合に、バックアップローラ７が移動し、図７に示すように、コンクトガラス８に押圧されたとき、バックアップローラ７は、回転しているので、その回転方向に従ってバックアップローラ７は横方向に移動する。このような状況下では、コンクトガラス８が傷つく恐れがある。
【００１４】
図８に示すように、バックアップローラ７の上下動をガイドするための軸ガイド１６には、逃げ部が設けられており、バックアップローラ７はこの逃げ部に沿って横方向に移動し、スイッチ押圧部材１７を押すことになる。押されたスイッチ押圧部材１７は、スイッチ１８を押し、スイッチ１８のＯＮ信号によってバックアップローラ７の回転を止め、ここでは図示していいないソレノイドをＯＮしバックアップローラ７を解除する。
【００１５】
また、原稿１の読み終わり時においては、通常、原稿１がバックアップローラ７の位置から抜け出す直前で、バックアップローラ７がコンタクトガラス８から解除されるのであるが、何らかの理由で原稿１が抜け出た後もバックアップローラ７がコンタクトガラス８に押圧されてしまった場合についても同様に押圧を解除する。
【００１８】
【発明の効果】
請求項１および請求項２記載の発明では、コンタクトガラスの保護手段が設けられているため、原稿のない時点でバックアップローラがコンタクトガラスに接触した場合でもコンタクトガラス及びバックアップローラが傷つくことがない。
【図面の簡単な説明】
【図１】本実施の形態の処理を説明する図である。
【図２】原稿が挿入されていない状態を示す図である。
【図３】原稿が挿入された状態を示す図である。
【図４】原稿が通過した状態を示す図である。
【図５】第１の実施の形態の処理の手順を示したフローチャートである。
【図６】第２の実施の形態の処理の手順を示したフローチャートである。
【図７】原稿がない場合に、バックアップローラが移動し、コンクトガラスに押圧された状態を示した図である。
【図８】原稿がない場合に、バックアップローラが横方向に移動した状態を示した図である。
【符号の説明】
１  原稿
４  レジストセンサ
５ａ、５ｂ  レジストローラ
６  原稿検知装置
７  バックアップローラ
８  コンタクトガラス
１０  読み取りレンズ
１１  読み取りセンサ
１４  ソレノイド
１５  スプリング
【図１】
0003596851.tif 000002
【図２】
0003596851.tif 000003
【図３】
0003596851.tif 000004
【図４】
0003596851.tif 000005
【図５】
0003596851.tif 000006
【図６】
0003596851.tif 000007
【図７】
0003596851.tif 000008
【図８】
0003596851.tif 000009